(57)【特許請求の範囲】
【請求項１】
搬送路を第１向きに沿って搬送されるシートに、画像を記録する記録部と、
上記記録部よりも上記第１向きの下流側に設けられており、排出されたシートを載置可能な排出トレイと、
シートを上記搬送路へ供給可能な少なくとも１つの給送トレイであって、少なくとも１つが上記排出トレイに載置可能なサイズよりも大きいサイズのシートを上記搬送路へ供給可能な給送トレイと、
上記搬送路における上記記録部及び上記排出トレイの間に設けられており、画像記録完了済みのシートの搬送を停止させる停止部と、
上記停止部によって停止されているシートを取り除く旨を報知する報知部と、
シートへの画像記録を指示するために操作される操作部と、
上記停止部によってシートが停止されているときに、新たなシートに対する画像記録を要するコマンドを受け取ったことを条件として、当該コマンドが上記操作部または当該装置以外の装置のいずれから発せられたかに基づいて、上記報知部による報知、または、上記停止部によるシートの停止を解除して、当該シートを上記排出トレイに排出する強制排出を実行する第１制御部と、
上記搬送路を搬送されるシートのサイズを検知する第１検知部と、
上記第１検知部によって、上記搬送路を搬送されるシートのサイズが上記排出トレイに載置可能なサイズよりも大きいサイズであることが検知されたことを条件として、上記停止部に当該シートの搬送を停止させる第２制御部と、を備えている画像記録装置。
【請求項２】
上記停止部は、
シートを挟持して上記第１向きに搬送可能であって、上記搬送路に対して上側に配置された第１ローラと上記搬送路に対して下側に配置された第２ローラとで構成されている請求項１に記載の画像記録装置。
【請求項３】
上記第１制御部は、
上記強制排出において、上記シートを上記停止部によって停止させない場合における搬送速度よりも遅い搬送速度でシートを搬送する請求項２に記載の画像記録装置。
【請求項４】
上記第１制御部は、
上記コマンドがファクシミリによる画像データの受信であることを条件として、上記強制排出を実行する請求項１から３のいずれかに記載の画像記録装置。
【請求項５】
上記第１制御部は、
ファクシミリによって画像データが受信されてから、一定時間経過前までに上記報知部による報知を実行し、ファクシミリによって画像データが受信されてから、一定時間経過後に上記強制排出を実行する請求項４に記載の画像記録装置。
【請求項６】
ファクシミリによって受信された画像データを記憶可能な不揮発性の第１記憶部を更に備え、
上記第１制御部は、
上記コマンドがファクシミリによる画像データの受信であることを条件として、ファクシミリによって受信された画像データの上記第１記憶部への記憶、及び上記報知部による報知を実行する請求項１から３のいずれかに記載の画像記録装置。
【請求項７】
上記第１制御部は、
上記コマンドを当該装置以外の装置から受け取ったことを条件として、当該装置以外の装置に対して、上記停止部によって停止されているシートを取り除く旨を報知する請求項１から６のいずれかに記載の画像記録装置。
【請求項８】
上記第１制御部は、
上記コマンドを上記操作部から受け取ったことを条件として、上記報知部による報知を実行する請求項１から７のいずれかに記載の画像記録装置。
【請求項９】
上記第１制御部は、
上記コマンドを上記操作部から受け取ったことを条件として、上記強制排出を実行する請求項１から７のいずれかに記載の画像記録装置。
【請求項１０】
シートへの画像記録が未完了の画像データが蓄積記憶される第２記憶部を更に備え、
上記第１制御部は、
上記第２記憶部に画像データが蓄積記憶されている状態において、上記コマンドを上記操作部から受け取ったことを条件として、上記強制排出を実行し、上記強制排出後に上記記録部を制御して上記操作部から受け取ったコマンドに基づいてシートに画像を記録させ、その後、上記記録部を制御して上記第２記憶部に蓄積記憶されている画像データをシートに記録させる請求項１から９のいずれかに記載の画像記録装置。
【請求項１１】
上記第１制御部は、
上記第２記憶部に蓄積されている画像データがファクシミリによって受信された画像データである場合、当該画像データをシートに記録させない請求項１０に記載の画像記録装置。
【請求項１２】
上記給送トレイに、シートが載置された状態及びシートが載置されていない状態を検知する第２検知部を更に備え、
上記第１制御部は、
上記第２検知部によって上記給送トレイにシートが載置されていない状態からシートが載置された状態が検知されたことを条件として、上記強制排出を実行し、新たなシートへの画像の記録を実行する請求項１から１１のいずれかに記載の画像記録装置。
【請求項１３】
上記記録部と上記排出トレイとの間に、上記停止部によって停止されているシートを検知する第３検知部を更に備え、
上記第１制御部は、
上記第３検知部がシートを検知した状態から検知しない状態に変化したことを条件として、新たなシートへの画像の記録を実行する請求項１から１２のいずれかに記載の画像記録装置。
【請求項１４】
上記停止部によって停止されているシートを上記排出トレイに排出させる排出ボタンを更に備え、
上記第１制御部は、
上記報知部によって報知されている状態において上記排出ボタンが押下されたことを条件として、上記強制排出を実行し、新たなシートへの画像の記録を実行する請求項１から１３のいずれかに記載の画像記録装置。
【発明の詳細な説明】
【技術分野】
【０００１】
本発明は、給送トレイから給送されたシートに対して画像記録を行い、画像記録後のシートを排出トレイに排出する画像記録装置に関する。
【背景技術】
【０００２】
従来より、給送トレイから給送されたシートに対して画像記録を行い、画像記録後のシートを排出トレイに排出する画像記録装置が知られている。
【０００３】
近年、画像記録装置は、省スペース化を目的として、小型化されてきている。よって、排出トレイに載置可能なシートの最大サイズも小さくなってきている。一方で、給送トレイにセットされるシートの最大サイズは、排出トレイに載置されるシートの最大サイズよりも大きくすることが可能である。シートが給送トレイにセットされるとき、必ずしもシートの全体が給送トレイに載置される必要はないからである。例えば、シートの給送向きの先端部分のみが給送トレイにセットされ、シートの他の部分は給送トレイからはみ出している状態でもよいからである。
【０００４】
しかし、大きいサイズのシートが給送トレイから給送された場合、当該シートは排出トレイに載置されずに排出トレイから落下してしまうおそれがある。このような問題を解決するための画像記録装置の一例として、特許文献１には、排紙される用紙後端が挟持された状態で停止される画像形成装置が開示されている。
【先行技術文献】
【特許文献】
【０００５】
【特許文献１】特開平４−１６４７６８号公報
【発明の概要】
【発明が解決しようとする課題】
【０００６】
しかしながら、特許文献１に記載された画像形成装置においては、排紙される用紙後端が挟持された状態で、次の用紙に対する画像記録が指示される状況は想定されていなかった。つまり、このような状況の場合、次の用紙に対する画像記録が実行されるためには、後端が挟持された用紙がユーザによって取り除かれる必要があった。
【０００７】
また、特許文献１に記載された画像形成装置においては、第２モードにすることによって、用紙後端が挟持されることなく排出される。この場合、用紙が排出される姿勢変化可能な排出トレイが本体から突出して開けられた姿勢である場合、用紙は排出トレイに載置される。しかし、排出トレイが本体から突出した状態においては、画像形成装置の省スペース化という目的が達成されていない。一方、排出トレイが本体内に退避して閉じられている姿勢である場合、排出された用紙は画像形成装置から落下してしまう。以上より、特許文献１に記載された画像形成装置には、使い勝手の向上の余地がある。
【０００８】
本発明は、上記問題に鑑みてなされたものであり、その目的は、画像記録後のシートを排出トレイに強制排出するか否かを、コマンドの発信元に基づいて切り替えることによって、使い勝手が向上可能な画像記録装置を提供することにある。
【課題を解決するための手段】
【０００９】
(1)  本発明の画像記録装置は、搬送路を第１向きに沿って搬送されるシートに、画像を記録する記録部と、上記記録部よりも上記第１向きの下流側に設けられており、排出されたシートを載置可能な排出トレイと、シートを上記搬送路へ供給可能な少なくとも１つの給送トレイであって、少なくとも１つが上記排出トレイに載置可能なサイズよりも大きいサイズのシートを上記搬送路へ供給可能な給送トレイと、上記搬送路における上記記録部及び上記排出トレイの間に設けられており、画像記録完了済みのシートの搬送を停止させる停止部と、上記停止部によって停止されているシートを取り除く旨を報知する報知部と、シートへの画像記録を指示するために操作される操作部と、上記停止部によってシートが停止されているときに、新たなシートに対する画像記録を要するコマンドを受け取ったことを条件として、当該コマンドが上記操作部または当該装置以外の装置のいずれから発せられたかに基づいて、上記報知部による報知、または、上記停止部によるシートの停止を解除して、当該シートを上記排出トレイに排出する強制排出を実行する第１制御部と、を備えている。
【００１０】
本構成によれば、シートが停止部によって停止されている状態において、操作部または当該画像記録装置以外の装置からシートへの画像記録を要するコマンドを受け取った場合、第１制御部は、当該コマンドの発信元に基づいて、報知部による報知、またはシートの強制排出を実行する。報知部による報知が実行されることにより、ユーザに対して注意を喚起することができる。シートが強制排出されることにより、受け取ったコマンドによる画像記録を迅速に開始することができる。
【００１１】
(2)  本発明の画像記録装置は、上記搬送路を搬送されるシートのサイズを検知する第１検知部と、上記第１検知部によって、上記搬送路を搬送されるシートのサイズが上記排出トレイに載置可能なサイズよりも大きいサイズであることが検知されたことを条件として、上記停止部に当該シートの搬送を停止させる第２制御部と、を更に備えている請求項１に記載の画像記録装置。
【００１２】
本構成によれば、搬送路を搬送されるシートのサイズが排出トレイに載置可能なサイズよりも大きいサイズである場合、当該シートは停止部によって停止される。これにより、シートが排出トレイから落下することが防止可能である。また、搬送路を搬送されるシートのサイズが排出トレイに載置可能なサイズ以下である場合、当該シートは停止されることなく排出トレイに排出されるため、次のシートに対する画像記録が待機することなく実行可能である。
【００１３】
(3)  シートを挟持して上記第１向きに搬送可能であって、上記搬送路に対して上側に配置された第１ローラと上記搬送路に対して下側に配置された第２ローラとで構成されている。
【００１４】
本構成によれば、ローラを回転させることによって、シートを第１向きに搬送することができる。また、ローラの回転を止めることによって、シートを停止させることができる。
【００１５】
(4)  上記第１制御部は、上記強制排出において、上記シートを上記停止部によって停止させない場合における搬送速度よりも遅い搬送速度でシートを搬送する。
【００１６】
本構成によれば、画像記録装置のユーザが、排出トレイに排出されようとしているシートに気がつきやすい。これにより、シートが画像記録装置から落下する可能性を低くすることができる。
【００１７】
(5)  上記第１制御部は、上記コマンドがファクシミリによる画像データの受信であることを条件として、上記強制排出を実行する。
【００１８】
ファクシミリによって受信された画像データは、ＲＡＭなどの揮発性のメモリに記憶されることが多い。そして、当該メモリに記憶された画像データがシートに記録される。ここで、揮発性のメモリに記憶された画像データがシートに記録されていない状態で、画像記録装置の電源がオフにされたり、電源コードが抜かれたり、停電が発生したりした場合、メモリに記憶された画像データは消去されてしまう。そこで、本構成においては、画像データがファクシミリによって受信されたときに、強制排出が実行される。これにより、当該画像データのシートへの記録処理を早く開始することができる。その結果、電源オフなどによって画像データが消去されてしまう可能性を低くすることができる。
【００１９】
(6)  上記第１制御部は、ファクシミリによって画像データが受信されてから、一定時間経過前までに上記報知部による報知を実行し、ファクシミリによって画像データが受信されてから、一定時間経過後に上記強制排出を実行する。
【００２０】
本構成によれば、ユーザが上記一定時間の間に画像データの受信に気がつく可能性が高くなる。これにより、シートが強制排出によって画像記録装置から落下する可能性を低くすることができる。
【００２１】
(7)  本発明の画像記録装置は、ファクシミリによって受信された画像データを記憶可能な不揮発性の第１記憶部を更に備えている。上記第１制御部は、上記コマンドがファクシミリによる画像データの受信であることを条件として、ファクシミリによって受信された画像データの上記第１記憶部への記憶、及び上記報知部による報知を実行する。
【００２２】
本構成によれば、ファクシミリによって受信された画像データは、不揮発性の第１記憶部に記憶される。よって、当該画像データは、画像記録装置の電源がオフにされたり、電源コードが抜かれたり、停電が発生したりしても、第１記憶部から消去されない。そこで、本構成においては、画像データがファクシミリによって受信されたときに、強制排出が実行されずに、報知部による報知が実行される。これにより、シートが強制排出によって画像記録装置から落下することを防止することができる。
【００２３】
(8)  上記第１制御部は、上記コマンドを当該装置以外の装置から受け取ったことを条件として、当該装置以外の装置に対して、上記停止部によって停止されているシートを取り除く旨を報知する。
【００２４】
コマンドが他装置から発せられたものである場合、当該コマンドを発する操作を行ったユーザは、画像記録が実行される画像記録装置とは離れた場所にいる可能性が高い。このような状況において、停止部によって停止されたシートが排出された場合、ユーザがシートの排出に気がつく可能性は低い。その結果、当該シートが画像記録装置から落下する可能性が高くなる。そこで、本構成においては、上述のような状況において、他装置に対する報知が実行される。これにより、シートが強制排出によって画像記録装置から落下する可能性を低くすることができる。
【００２５】
また、本構成によれば、当該コマンドが発せられた装置に対して報知が実行された場合に、当該コマンドを発する操作を行ったユーザに対して注意を喚起することができる。
【００２６】
(9)  上記第１制御部は、上記コマンドを上記操作部から受け取ったことを条件として、上記報知部による報知を実行する。
【００２７】
コマンドが操作部から発せられたものである場合、操作部を操作したユーザは、画像記録が実行される画像記録装置の近くにいる可能性が高い。そこで、本構成においては、このような状況において、報知部による報知が実行される。これにより、ユーザは、当該報知に直ぐに気がつくことができる。そして、ユーザは、停止部によって停止されたシートを迅速に取り除くことができる。
【００２８】
(10)  上記第１制御部は、上記コマンドを上記操作部から受け取ったことを条件として、上記強制排出を実行する。
【００２９】
コマンドが操作部から発せられたものである場合、操作部を操作したユーザは、画像記録が実行される画像記録装置の近くにいる可能性が高い。そこで、本構成においては、このような状況において、強制排出が実行される。これにより、ユーザは、当該強制排出に直ぐに気がつくことができる。そして、ユーザは、強制排出されているシートが画像記録装置から落下する前に、当該シートを手にすることができる。
【００３０】
(11)  本発明の画像記録装置は、シートへの画像記録が未完了の画像データが蓄積記憶される第２記憶部を更に備えている。上記第１制御部は、上記第２記憶部に画像データが蓄積記憶されている状態において、上記コマンドを上記操作部から受け取ったことを条件として、上記強制排出を実行し、上記強制排出後に上記記録部を制御して上記操作部から受け取ったコマンドに基づいてシートに画像を記録させ、その後、上記記録部を制御して上記第２記憶部に蓄積記憶されている画像データをシートに記録させる。
【００３１】
第２記憶部に画像データが蓄積記憶されている状態において、第２記憶部に蓄積記憶されている画像データの画像記録を指示したユーザは、画像記録されたシートを直ぐに必要でない可能性が高い。これに対して、操作部を操作することによってシートの画像記録を指示したユーザは、画像記録されたシートを直ぐに必要であることが多い。そこで、本構成においては、後者の画像記録が、前者の画像記録よりも優先して実行される。これにより、画像記録されたシートを直ぐに必要であるユーザが、画像記録されたシートを迅速に手に入れることができる。
【００３２】
(12)  上記第１制御部は、上記第２記憶部に蓄積されている画像データがファクシミリによって受信された画像データである場合、当該画像データをシートに記録させない。
【００３３】
ファクシミリによって受信された画像データの内容が画像記録装置に設けられた液晶パネルなどの表示部に表示可能である場合、当該表示部を介して当該画像データの内容を見たユーザは、当該画像データをシートに記録することを希望しない場合がある。本構成によれば、第１制御部は、ファクシミリによって受信された画像データをシートに記録させない。つまり、上述のような場合におけるユーザの希望に従った処理を実行することができる。
【００３４】
(13)  本発明の画像記録装置は、上記給送トレイに、シートが載置された状態及びシートが載置されていない状態を検知する第２検知部を更に備えている。上記第１制御部は、上記第２検知部によって上記給送トレイにシートが載置されていない状態からシートが載置された状態が検知されたことを条件として、上記強制排出を実行し、新たなシートへの画像の記録を実行する。
【００３５】
本構成によれば、第２検知部によって検知されたシートは、ユーザが給送トレイにセットしたシートである。以上より、ユーザは、画像記録が実行される画像記録装置の近くにいる可能性が高い。よって、本構成によれば、ユーザは、強制排出されているシートが画像記録装置から落下する前に、当該シートを手にすることができる。
【００３６】
(14)  本発明の画像記録装置は、上記記録部と上記排出トレイとの間に、上記停止部によって停止されているシートを検知する第３検知部を更に備えている。上記第１制御部は、上記第３検知部がシートを検知した状態から検知しない状態に変化したことを条件として、新たなシートへの画像の記録を実行する。
【００３７】
第３検知部がシートを検知した状態から検知しない状態に変化したことは、停止部によって停止されているシートが取り除かれたことを意味する。シートが取り除かれた場合、次に画像記録されるシートを待機させる必要がなくなる。以上より、本構成によれば、停止部によって停止されているシートが取り除かれた場合に、次に画像記録されるシートへの画像記録を迅速に実行することができる。
【００３８】
(15)  本発明の画像記録装置は、上記停止部によって停止されているシートを上記排出トレイに排出させる排出ボタンを更に備えている。上記第１制御部は、上記報知部によって報知されている状態において上記排出ボタンが押下されたことを条件として、上記強制排出を実行し、新たなシートへの画像の記録を実行する。
【００３９】
本構成によれば、排出ボタンの押下によって、停止部によって停止されているシートが強制排出される。よって、ユーザは、停止部によって停止されているシートを把持することなく、当該シートを搬送路より取り除くことができる。
【発明の効果】
【００４０】
本発明においては、画像記録後のシートを排出トレイに強制排出するか否かを、コマンドの発信元に基づいて切り替えることができる。これにより、画像記録装置の使い勝手を向上させることができる。
【図面の簡単な説明】
【００４１】
【図１】図１は、本発明の実施形態の一例である複合機１の外観斜視図である。
【図２】図２は、プリンタ部２の内部構造を模式的に示す縦断面図である。
【図３】図３は、マイクロコンピュータ１３０の構成を示すブロック図である。
【図４】図４は、記録制御の処理手順を説明するためのフローチャートである。
【図５】図５は、処理１の処理手順を説明するためのフローチャートである。
【図６】図６は、処理２の処理手順を説明するためのフローチャートである。
【図７】図７は、処理３の処理手順を説明するためのフローチャートである。
【図８】図８は、処理４の処理手順を説明するためのフローチャートである。
【図９】図９は、変形例５における記録制御の処理手順を説明するためのフローチャートである。
【発明を実施するための形態】
【００４２】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。また、以下の説明では、ベクトルにおいて矢印を考慮して起点から終点に向かう進みが向きと表現され、ベクトルにおいて矢印を考慮せずに起点と終点とを結ぶ線上の往来が方向と表現される。また、以下の説明では、複合機１が使用可能に設置された状態（図１の状態）を基準として上下方向１４が定義され、操作パネル９が設けられている側を手前側（正面）として前後方向１２が定義され、複合機１を手前側（正面）から見て左右方向１３が定義される。
【００４３】
［複合機１の全体構成］
図１に示されるように、本発明の画像記録装置の一例である複合機１は、下部に配設されたプリンタ部２と、プリンタ部２の上部に配設されたスキャナ部３などを一体的に備えた多機能装置である。複合機１は、プリンタ機能、スキャナ機能、コピー機能、及びファクシミリ機能などを有する。なお、本実施形態において、複合機１はプリンタ機能として片面画像記録機能のみ有しているが、複合機１は両面画像記録機能を有していてもよい。
【００４４】
図１に示されるように、スキャナ部３は、フラットベッドスキャナ（ＦＢＳ：Flat Bed Scanner）として機能する原稿台３５を備えている。原稿台３５の上面には、原稿が載置されるプラテンガラス（不図示）が設けられている。スキャナ部３は、原稿台３５の上側に開閉自在に配置された原稿カバー３６を備えている。プラテンガラスの下側には、イメージセンサ（不図示）が設けられている。プラテンガラスに載置された原稿の画像は、イメージセンサによって読み取られる。
【００４５】
複合機１は、主にパーソナルコンピュータなどの外部情報機器（不図示、本発明の当該装置以外の装置の一例）とＬＡＮなどを介して接続された状態で使用される。ユーザは、外部情報機器に設けられたキーボードやマウスなどの操作部を操作する。これにより、外部情報機器に設けられたハードディスクなどの記憶部に記憶された画像データを記録用紙１９（本発明のシートの一例、図２参照）に記録するように指示するコマンドが、外部情報機器から複合機１の動作を統括する後述されるマイクロコンピュータ１３０に画像データと共に送信される。
【００４６】
複合機１の上面の前方側であって、スキャナ部３の正面側の上面には、プリンタ部２やスキャナ部３を操作するための操作パネル９（本発明の操作部の一例）が設けられている。操作パネル９は、各種操作ボタン１０や液晶表示部１１から構成されている。ユーザは、スキャナ部３のプラテンガラスに原稿を載置し、操作パネル９を操作する。これにより、原稿に記録された画像をイメージセンサによって画像データとして読み取り、読み取られた画像データを記録用紙１９に記録するように指示するコマンドが、操作パネル９からマイクロコンピュータ１３０に送信される。つまり、操作パネル９は、記録用紙１９への画像記録を指示するために操作される。
【００４７】
すなわち、複合機１は、操作パネル９からのコマンド、または外部情報機器から送信されるコマンドに基づいて、マイクロコンピュータ１３０（図３参照）により動作される。
【００４８】
図１に示されるように、プリンタ部２は、正面に開口４が形成されたケーシング５を有する。ケーシング５内にプリンタ部２の各構成要素が配設されている。各構成要素は、搬送路２３、記録部２４、給紙トレイ２０、排紙トレイ２１、及び手差しトレイ３１などである。
【００４９】
［給紙トレイ２０、排紙トレイ２１、及び手差しトレイ３１］
開口４を通じて、給紙トレイ２０が複合機１に対して装着及び脱抜可能である。なお、図１では、給紙トレイ２０（本発明の給送トレイの一例）が省略されている。
【００５０】
図２に示されるように、給紙トレイ２０は、プリンタ部２に装着された状態において、後述する記録部２４（本発明の記録部の一例）の下方に配置されている。給紙トレイ２０は、平面視で挿抜方向（本実施形態では前後方向１２）へ長い矩形の皿状に概ね形成されている。給紙トレイ２０には、Ａ４サイズやＢ５サイズ等の所望のサイズの記録用紙１９が収容される。給紙トレイ２０がプリンタ部２に装着された状態において、給紙トレイ２０に収容された記録用紙１９がプリンタ部２の搬送路２３（本発明の搬送路の一例）へ供給可能となる。
【００５１】
プリンタ部２においては、記録用紙１９が、給紙トレイ２０または後述する手差しトレイ３１から搬送路２３へ選択的に供給される。供給された記録用紙１９は、記録部２４によって画像が記録された後に排紙トレイ２１（本発明の排出トレイの一例）の上面に排出される。排紙トレイ２１は、プリンタ部２から排出された記録用紙１９を載置可能である。排紙トレイ２１は、給紙トレイ２０の上側に配置されている。
【００５２】
図２に示されるように、プリンタ部２の背面には、手差しトレイ３１（本発明の給送トレイの一例）が設けられている。手差しトレイ３１は、軸３２を中心として矢印３３の方向に回動可能である。つまり、手差しトレイ３１は、複合機１の背面の一部を開閉可能である。手差しトレイ３１が開けられた状態が、図２に実線で示されている。手差しトレイ３１が閉じられた状態が、図２に破線で示されている。手差しトレイ３１は、開けられた状態において、各種サイズの記録用紙１９を載置可能である。記録用紙１９は、図２に一点鎖線で示されるように、その先端が後述する搬送ローラ対５４における記録用紙１９の挟持部分に当接するようにして、手差しトレイ３１に載置される。これにより、手差しトレイ３１に載置された記録用紙１９がプリンタ部２の搬送路２３へ供給可能となる。
【００５３】
また、手差しトレイ３１に載置された記録用紙１９は、図２に一点鎖線で示されるように、その後端が手差しトレイ３１から垂れた状態で、手差しトレイ３１に載置可能である。これにより、手差しトレイ３１には、排紙トレイ２１に載置可能なサイズよりも大きいサイズの記録用紙１９を載置可能であり、当該大きいサイズの記録用紙１９を搬送路２３へ供給可能である。
【００５４】
ここで、本実施形態において、大きいサイズの記録用紙１９とは、排紙トレイ２１に載置された状態において、少なくとも前後方向１２の長さが排紙トレイ２１の前後方向１２の長さよりも長い記録用紙１９のことである。つまり、本実施形態において、記録用紙１９のサイズが排紙トレイ２１に載置可能なサイズよりも大きいか否かは、当該記録用紙１９の記録面の面積と、排紙トレイ２１における記録用紙１９の載置面の面積との大小によって、判断されるものではない。例えば、排紙トレイ２１に載置された状態において、左右方向１３の長さが排紙トレイ２１の左右方向１３の長さよりも短く、前後方向１２の長さが排紙トレイ２１の前後方向１２の長さよりも長い記録用紙１９は、たとえ当該記録用紙１９の記録面の面積が排紙トレイ２１の載置面の面積よりも小さくても、排紙トレイ２１に載置可能なサイズよりも大きいサイズであると判断される。
【００５５】
なお、本実施形態においては、排紙トレイ２１に載置可能なサイズよりも大きいサイズの記録用紙１９を載置可能なトレイは、手差しトレイ３１であるが、給紙トレイ２０或いは手差しトレイ３１及び給紙トレイ２０の双方であってもよい。つまり、少なくとも１つのトレイが、排紙トレイ２１に載置可能なサイズよりも大きいサイズの記録用紙１９を載置可能であればよい。
【００５６】
なお、本実施形態において、プリンタ部２には、記録用紙１９を載置可能なトレイが２つ（給紙トレイ２０及び手差しトレイ３１）設けられているが、トレイはプリンタ部２に少なくとも１つ設けられていればよい。例えば、プリンタ部２に、給紙トレイ２０または手差しトレイ３１の一方のみが設けられていてもよい。また、給紙トレイ２０及び手差しトレイ３１に加えて、給紙トレイ２０の下側に給紙トレイ２０と重なるように配置された第２の給紙トレイ（不図示）が設けられていてもよい。
【００５７】
［給送部１７］
図２に示されるように、給紙トレイ２０の上側には、給送部１７が設けられている。給送部１７は、給紙ローラ２５、給紙アーム２６、及び駆動伝達機構２７を備えている。給紙ローラ２５は、給紙トレイ２０に接離可能に上下動する給紙アーム２６の端部で軸支されている。給紙ローラ２５は、複数のギアが噛合されてなる駆動伝達機構２７によって、給紙モータ７６（図３参照）の駆動力が伝達されて回転する。給紙ローラ２５は、給紙トレイ２０上の記録用紙１９に圧接して、その状態で回転する。これにより、積載された記録用紙１９が、以下で説明される搬送路２３へ給送される。
【００５８】
［搬送路２３、搬送ローラ対５４、及び排出ローラ対５５］
搬送路２３は、給紙トレイ２０の後側の端部から上方且つ複合機１の前側へ曲がって、複合機１の背面側（後側）から正面側（前側）へ延出されている。搬送路２３は、搬送ローラ対５４による挟持位置、記録部２４の下側、及び排出ローラ対５５（本発明の停止部の一例）による挟持位置を通過して排紙トレイ２１へ通じている。給紙トレイ２０から給送された記録用紙１９は、搬送路２３により下方から上方へＵターンするように案内されて記録部２４に至る。手差しトレイ３１から給送された記録用紙１９は、搬送ローラ対５４を介して記録部２４に至る。記録用紙１９は、記録部２４により画像記録が行われた後、排紙トレイ２１に排出される。搬送路２３は、記録部２４などが配設されている箇所以外は、所定間隔で対向する外側ガイド部材２９及び内側ガイド部材２８によって形成されている。
【００５９】
以下、記録用紙１９が、搬送路２３に沿って搬送される向き（図２に破線の矢印で示される向き）を、搬送向き１５（本発明の第１向きに相当）として説明が行われる。
【００６０】
図２に示されるように、記録部２４よりも搬送向き１５の上流側には、搬送路２３に対して上側に配置された搬送ローラ４７と搬送路２３に対して下側に配置されたピンチローラ４８とを有する搬送ローラ対５４が設けられている。記録部２４よりも搬送向き１５の下流側には、搬送路２３に対して下側に配置された排紙ローラ４９（本発明の第２ローラの一例）と搬送路２３に対して上側に配置された拍車５０（本発明の第１ローラの一例）とを有する排出ローラ対５５が設けられている。排出ローラ対５５よりも搬送向き１５の下流側には、排紙トレイ２１が配置されている。つまり、排紙トレイ２１は、記録部２４よりも搬送向き１５の下流側に設けられている。また、排出ローラ対５５は、搬送路２３における記録部２４及び排紙トレイ２１の間に設けられている。
【００６１】
搬送ローラ４７及び排紙ローラ４９は、搬送モータ５９（図３参照）から駆動伝達機構（不図示）を介して駆動力が伝達されて回転される。搬送ローラ４７が正転駆動（図２における反時計回りに駆動）されることで、給紙トレイ２０から給送された記録用紙１９は、搬送ローラ対５４により狭持されて、搬送向き１５へ搬送される。排紙ローラ４９が正転駆動（図２における時計回りに駆動）されることで、記録部２４による画像記録済みの記録用紙１９は、排出ローラ対５５により狭持されて、搬送向き１５へ搬送される。つまり、記録用紙１９は、排出ローラ対５５によって、排紙トレイ２１へ排出される。
【００６２】
［ロータリーエンコーダ６８］
図２に示されるように、搬送ローラ４７の回転量を検出するロータリーエンコーダ６８が設けられている。ロータリーエンコーダ６８は、搬送ローラ４７と同軸に設けられて搬送ローラ４７と共に回転するエンコーダディスク５１と光学センサ６０とからなる。エンコーダディスク５１には、その円周方向に一定間隔で光を透過する透過部と光を透過しない非透過部とが等ピッチで交互に配置されたパターンが形成されている。搬送ローラ４７と共にエンコーダディスク５１が回転すると、光学センサ６０によってロータリーエンコーダ６８のマークが検出される毎にパルス信号が生成される。パルス信号はマイクロコンピュータ１３０へと出力される。
【００６３】
［記録部２４］
記録部２４は、本実施形態において、いわゆるインクジェット方式によって記録用紙１９に画像を記録するものであり、記録ヘッド６５を搭載して主走査方向（図２の紙面に垂直な方向、つまり左右方向１３）へ往復移動するキャリッジ６７を備えている。記録ヘッド６５には、インクカートリッジ（不図示）からシアン（Ｃ）・マゼンタ（Ｍ）・イエロー（Ｙ）・ブラック（Ｂｋ）の各色インクが供給される。記録ヘッド６５は、その下面に設けられたノズルから、各インクを微小なインク滴として吐出する。キャリッジ６７が主走査方向へ往復動することにより、記録ヘッド６５が記録用紙１９に対して走査される。これにより、記録部２４の下方に記録部２４と対向して設けられているプラテン６６上を、搬送路２３に沿って搬送向き１５に搬送されている記録用紙１９に、画像が記録される。プラテン６６は、搬送路２３に沿って搬送される記録用紙１９を支持する部材である。なお、記録部２４は、インクジェット方式によって記録用紙１９に画像を記録するものに限らず、例えば電子写真方式によって記録用紙１９に画像を記録するものであってもよい。
【００６４】
［シート検知部１１０］
図２に示されるように、プリンタ部２は、搬送路２３を搬送される記録用紙１９を検知するシート検知部１１０（本発明の第２検知部の一例）を備えている。シート検知部１１０は、搬送路２３において、搬送ローラ対５４よりも搬送向き１５の上流側に設けられている。シート検知部１１０は、例えば、検出子１１２Ａ、１１２Ｂを有する回転体１１２と、発光素子（例えば発光ダイオード）及び当該発光素子から発光された光を受光する受光素子（例えばフォトトランジスタ）を有するフォトインタラプタ等の光学センサ１１１とにより構成されている。回転体１１２は、支軸１１３を中心に回転可能に設けられている。検出子１１２Ａは支軸１１３から搬送路２３に突出している。回転体１１２に外力が加えられていない状態で、検出子１１２Ｂは、光学センサ１１１の発光素子から受光素子に至る光路に進入して、当該光路を通る光を遮断している。回転体１１２が記録用紙１９の先端に押されることによって回転すると、検出子１１２Ｂは当該光路から外れて、当該光路に光が通る。
【００６５】
［排出検知部１２０］
図２に示されるように、プリンタ部２は、搬送路２３から排出される記録用紙１９を検知する排出検知部１２０（本発明の第３検知部の一例）を備えている。排出検知部１２０は、搬送路２３において、記録部２４及び排出ローラ対５５の間に設けられている。なお、排出検知部１２０は、排出ローラ対５５及び排紙トレイ２１の間に設けられていてもよい。排出検知部１２０は、例えば、検出子１２２Ａ、１２２Ｂ及び支軸１２３を有する回転体１２２と、発光素子（例えば発光ダイオード）及び当該発光素子から発光された光を受光する受光素子（例えばフォトトランジスタ）を有するフォトインタラプタ等の光学センサ１２１とにより構成されている。排出検知部１２０の構成は、シート検知部１１０と同様であるため、ここではこれ以上の詳細な説明は省略される。
【００６６】
［マイクロコンピュータ１３０］
以下、図３が参照されて、マイクロコンピュータ１３０の概略構成が説明される。マイクロコンピュータ１３０が後述するフローチャートにしたがって記録制御を行うことによって、本発明が実現される。マイクロコンピュータ１３０は、複合機１の全体動作を制御するものである。マイクロコンピュータ１３０は、ＣＰＵ１３１、ＲＯＭ１３２、ＲＡＭ１３３、ＥＥＰＲＯＭ１３４、ＡＳＩＣ１３５、及びこれらを相互に接続する内部バス１３７を備えている。
【００６７】
ＲＯＭ１３２は不揮発性である。ＲＯＭ１３２には、ＣＰＵ１３１が複合機１の記録制御を含む各種動作を制御するためのプログラムなどが格納されている。ＥＥＰＲＯＭ１３４は不揮発性である。ＥＥＰＲＯＭ１３４には、電源オフ後も保持すべき設定やフラグ等が格納される。ＲＡＭ１３３は揮発性である。ＲＡＭ１３３は、ＣＰＵ１３１が上記プログラムを実行する際に用いるデータや信号等を一時的に記録する記憶領域として使用される。
【００６８】
ＡＳＩＣ１３５には、給紙モータ７６、搬送モータ５９、ロータリーエンコーダ６８の光学センサ６０、シート検知部１１０の光学センサ１１１、排出検知部１２０の光学センサ１２１、及び操作パネル９などが接続されている。
【００６９】
ＡＳＩＣ１３５には、各モータを制御する駆動回路が組み込まれている。ＣＰＵ１３１から所定のモータに応じた駆動回路に各モータを回転させるための駆動信号が入力されると、駆動信号に応じた駆動電流が駆動回路から対応するモータへ出力される。これにより、対応するモータが所定の回転速度で正転又は逆転する。
【００７０】
マイクロコンピュータ１３０は、記録部２４による画像記録が完了した記録用紙１９が排出ローラ対５５に挟持されている状態において、搬送モータ５９を制御して、排紙ローラ４９の回転を停止させる。これにより、記録部２４による画像記録が完了した記録用紙１９は、排出ローラ対５５に挟持された状態で停止される。その結果、当該記録用紙は、排紙ローラ４９がマイクロコンピュータ１３０によって再び回転されるまで、排紙トレイ２１へ排出されない。
【００７１】
光学センサ１１１、１２１は、受光素子で受けた光の強度に応じたアナログの電気信号（電圧信号又は電流信号）を出力する。出力された信号は、マイクロコンピュータ１３０に入力される。マイクロコンピュータ１３０は、入力された信号の電気的レベル（電圧値または電流値）が所定の閾値以上であるかどうかを判断する。入力された信号が所定の閾値以上である場合にＨＩＧＨレベル信号と判定され、所定の閾値未満の場合にＬＯＷレベル信号と判定される。これにより、マイクロコンピュータ１３０は、シート検知部１１０及び排出検知部１２０による記録用紙１９の検知の有無を判断する。
【００７２】
例えば、光学センサ１１１から入力された電気信号がＨＩＧＨレベル信号と判断された場合、搬送路２３におけるシート検知部１１０が設けられている位置に、記録用紙１９が存在している。一方、光学センサ１１１から入力された電気信号がＬＯＷレベル信号と判断された場合、搬送路２３におけるシート検知部１１０が設けられている位置に、記録用紙１９が存在していない。ここで、上述したように、記録用紙１９は、その先端が搬送ローラ対５４における記録用紙１９の挟持部分に当接した状態で、手差しトレイ３１に載置される。つまり、手差しトレイ３１に記録用紙１９が載置されている場合、当該記録用紙１９はシート検知部１１０によって検知され、手差しトレイ３１に記録用紙１９が載置されていない場合、当該記録用紙１９はシート検知部１１０によって検知されない。すなわち、シート検知部１１０は、手差しトレイ３１に記録用紙１９が載置された状態及び記録用紙１９が載置されていない状態を検知する。
【００７３】
また、光学センサ１２１から入力された信号がＨＩＧＨレベル信号と判断された場合、搬送路２３における排出検知部１２０が設けられている位置に、記録用紙１９が存在している。一方、光学センサ１２１から入力された信号がＬＯＷレベル信号と判断された場合、搬送路２３における排出検知部１２０が設けられている位置に、記録用紙１９が存在していない。ここで、上述したように、マイクロコンピュータ１３０は、搬送モータ５９を制御することによって排紙ローラ４９の回転を停止させて、記録部２４による画像記録が完了した記録用紙１９の搬送を停止させる。つまり、画像記録が完了した記録用紙１９の搬送が停止されている場合、当該記録用紙１９は排出検知部１２０によって検知される。一方、画像記録が完了した記録用紙１９の搬送が停止されていない場合、当該記録用紙１９は、排出検知部１２０が設けられている位置を搬送されている間において、排出検知部１２０によって検知されるが、排出検知部１２０が設けられている位置を通過した後において、排出検知部１２０によって検知されない。つまり、排出検知部１２０は、排出ローラ対５５によって停止されている記録用紙１９を検知する。
【００７４】
また、マイクロコンピュータ１３０は、光学センサ１１１から入力された信号がＬＯＷレベル信号からＨＩＧＨレベル信号に変わった時点（つまり記録用紙１９の先端がシート検知部１１０を通過した時点）から、光学センサ１１１から入力された信号がＨＩＧＨレベル信号からＬＯＷレベル信号に変わった時点（つまり記録用紙１９の後端がシート検知部１１０を通過した時点）までの、光学センサ６０からのパルス信号のパルスをカウントする。マイクロコンピュータ１３０は、カウントの数に基づいて、記録用紙１９の搬送向き１５に沿った長さ、つまり記録用紙１９のサイズを算出する。すなわち、記録用紙１９のサイズの算出に使用されたマイクロコンピュータ１３０、シート検知部１１０、及びロータリーエンコーダ６８は、本発明の第１検知部の一例である。
【００７５】
なお、本実施形態においては、上述したように、マイクロコンピュータ１３０は、記録用紙１９の搬送向き１５に沿った長さを算出するが、マイクロコンピュータ１３０は、記録用紙１９の搬送向き１５に直交する方向（左右方向１３）の長さも考慮したＡ４やＢ５といったサイズを算出してもよい。例えば、予め記録用紙１９のサイズの名称（Ａ４やＢ５など）と、当該名称に対応した搬送向き１５の長さ及び左右方向１３の長さとを、テーブルデータとしてＲＯＭ１３２またはＥＥＰＲＯＭ１３４に記憶しておく。そして、ユーザが、操作パネル９を操作することによって、Ａ４やＢ５といった記録用紙１９のサイズの名称を指定する。マイクロコンピュータ１３０は、テーブルデータを参照することによって、指定された記録用紙１９のサイズの名称に対する搬送向き１５及び左右方向１３の長さを得る。この場合、マイクロコンピュータ１３０、ＲＯＭ１３２またはＥＥＰＲＯＭ１３４，及び操作パネル９が、本発明の第１検知部の一例である。
【００７６】
マイクロコンピュータ１３０は、後述する記録制御の実行において、所定の条件を具備した場合に、操作パネル９の液晶表示部１１に所定のメッセージを表示する。ここで、所定のメッセージは、排出ローラ対５５によって停止されている記録用紙１９を取り除く旨のメッセージである。つまり、マイクロコンピュータ１３０は、液晶表示部１１へのメッセージの表示によって、排出ローラ対５５によって停止されている記録用紙１９を取り除く旨を報知する。すなわち、マイクロコンピュータ１３０及び液晶表示部１１は、本発明の報知部の一例である。なお、上記報知は、液晶表示部１１へのメッセージの表示によるものには限らず、例えば、スピーカーからの音声メッセージやブザーの鳴動によるものであってもよい。
【００７７】
［記録制御］
上述の如く構成されたプリンタ部２においては、マイクロコンピュータ１３０によって記録用紙１９を給紙し、画像データの記録用紙１９への記録を行う一連の記録制御が実行される。以下、図４〜図８のフローチャートに基づいて、記録制御の処理手順が説明される。
【００７８】
外部情報機器や操作パネル９から複合機１に、画像データを給紙トレイ２０に収容された記録用紙１９に記録（以下、画像記録とも称される。）する旨のコマンドが入力されると、マイクロコンピュータ１３０は、給紙モータ７６を駆動して給紙ローラ２５を回転させる。これにより、給紙トレイ２０に収容された記録用紙１９は、搬送ローラ対５４に向かって搬送路２３に沿って搬送される（ＳＡ１）。以下、ステップＳＡ１と同様の処理は、給紙処理とも称される。
【００７９】
マイクロコンピュータ１３０は、給紙ローラ２５の回転によって記録用紙１９が搬送ローラ対５４に到達して給紙処理が完了すると、搬送モータ５９を駆動して搬送ローラ４７を回転させる。これにより、給紙ローラ２５によって搬送路２３を搬送されてきた記録用紙１９は、搬送ローラ対５４に挟持される。そして、記録用紙１９は、搬送ローラ対５４によって、記録ヘッド６５の直下に向かって搬送される（ＳＡ２）。以下、ステップＳＡ２と同様の処理は、搬送処理とも称される。
【００８０】
一方、外部情報機器や操作パネル９から複合機１に、手差しトレイ３１に載置された記録用紙１９に画像記録する旨のコマンドが入力されると、マイクロコンピュータ１３０は、搬送モータ５９を駆動して搬送ローラ４７を回転させる。これにより、手差しトレイ３１に載置された記録用紙１９は、搬送ローラ対５４によって、記録ヘッド６５の直下に向かって搬送される（ＳＡ２）。つまり、本実施形態において、手差しトレイ３１に載置された記録用紙１９に画像記録する旨のコマンドが入力された場合、ステップＳＡ１の処理は実行されない。
【００８１】
記録用紙１９が記録ヘッド６５の直下に到達すると、マイクロコンピュータ１３０は、キャリッジ６７を左右方向１３に移動させながら記録ヘッド６５にインク滴を吐出させる（ＳＡ３）。マイクロコンピュータ１３０は、当該記録用紙１９への画像記録が全て終了するまで（ＳＡ４）、記録用紙１９の所定の改行幅の搬送（ＳＡ２）とインク滴の吐出（ＳＡ３）とを交互に繰り返す。これにより、１枚の記録用紙１９に対する画像記録が実行される。以下、ステップＳＡ３と同様の処理は、画像記録とも称される。
【００８２】
１枚の記録用紙１９に対する画像記録が完了すると（ＳＡ４：Ｙｅｓ）、搬送モータ５９を制御して、排紙ローラ４９を回転させ、記録用紙１９の排出動作を実行する。次に、マイクロコンピュータ１３０は、画像記録が完了した記録用紙１９のサイズと、排紙トレイ２１へ載置可能な記録用紙の最大サイズとを比較する（ＳＡ５）。本実施形態において、サイズの比較とは、記録用紙１９の搬送向き１５（前後方向１２）の長さと、排紙トレイ２１の前後方向１２の長さとの比較である。また、本実施形態において、画像記録が完了した記録用紙１９の搬送向き１５の長さは、上述したように、光学センサ６０からのパルス信号のパルスをカウントすることによって算出される。また、排紙トレイ２１へ載置可能な記録用紙の最大サイズは、排紙トレイ２１の前後方向１２の設計寸法が用いられる。上記の設計寸法は、予めＲＯＭ１３２またはＥＥＰＲＯＭ１３４に記憶されており、マイクロコンピュータ１３０は、算出された記録用紙１９の搬送向き１５の長さを、記憶されている設計寸法と比較する。
【００８３】
画像記録が完了した記録用紙１９のサイズが排紙トレイ２１へ載置可能な記録用紙の最大サイズよりも大きい場合、換言すると、画像記録が完了した記録用紙１９の搬送向き１５の長さが排紙トレイ２１の前後方向１２の設計寸法よりも長い場合（ＳＡ５：Ｙｅｓ）、マイクロコンピュータ１３０は、搬送モータ５９を制御して、排紙ローラ４９の回転を止める。これにより、記録用紙１９は、排出ローラ対５５に挟持された状態で、搬送を停止される（ＳＡ８）。つまり、ステップＳＡ８の処理は、本発明の第２制御部による処理に相当する。
【００８４】
また、マイクロコンピュータ１３０は、排出ローラ対５５に挟持された状態で搬送を停止されている記録用紙１９を取り除くよう促すメッセージを、液晶表示部１１に表示させる（ＳＡ９）。なお、本実施形態では、液晶表示部１１にメッセージが表示されるが、メッセージに加えて或いはメッセージの代わりに、スピーカーからの音声メッセージやブザーを鳴動させてもよい。これは、後述されるステップＳＡ９以外の処理において、液晶表示部１１にメッセージが表示される場合も同様である。また、ステップＳＡ１においてマイクロコンピュータ１３０に入力されたコマンドが外部情報機器からのものである場合、ステップＳＡ９におけるメッセージは、複合機１の液晶表示部１１に加えて、或いは、複合機１の液晶表示部１１の代わりに、当該外部情報機器に表示されてもよい。
【００８５】
一方、画像記録が完了した記録用紙１９のサイズが排紙トレイ２１へ載置可能な記録用紙の最大サイズ以下の場合、換言すると、画像記録が完了した記録用紙１９の搬送向き１５の長さが排紙トレイ２１の前後方向１２の設計寸法以下の場合（ＳＡ５：Ｎｏ）、マイクロコンピュータ１３０は、排紙ローラ４９の回転を止めない。これにより、記録用紙１９の搬送は継続され、記録用紙１９は排紙トレイ２１の上面に排出される（ＳＡ６）。その後、次の記録用紙１９に対する画像記録が実行される場合（ＳＡ７：Ｙｅｓ）、再びステップＳＡ１から処理が実行される。一方、次の記録用紙１９に対する画像記録が実行されない場合（ＳＡ７：Ｎｏ）、一連の記録制御は終了される。
【００８６】
ステップＳＡ９の後、排出ローラ対５５に挟持された記録用紙１９が、複合機１のユーザによって取り除かれると（ＳＡ１０：Ｙｅｓ）、マイクロコンピュータ１３０は、ステップＳＡ９で液晶表示部１１に表示させたメッセージを、液晶表示部１１の画面から消す（ＳＡ１１）。なお、記録用紙１９は、ユーザに把持することによって取り除かれる。また、マイクロコンピュータ１３０は、排出検知部１２０の光学センサ１２１からの電気信号がＬＯＷレベル信号である場合に、記録用紙１９が取り除かれたと判断し、ＨＩＧＨレベル信号である場合に、記録用紙１９が取り除かれていないと判断する。
【００８７】
そして、次の記録用紙１９に対する画像記録が実行される場合（ＳＡ１２：Ｙｅｓ）、再びステップＳＡ１から処理が実行される。一方、次の記録用紙１９に対する画像記録が実行されない場合（ＳＡ１２：Ｎｏ）、一連の記録制御は終了される。
【００８８】
ステップＳＡ９の後、排出ローラ対５５に挟持された記録用紙１９が取り除かれないまま、次の記録用紙１９に対する画像記録のコマンドが入力された場合（ＳＡ１３：Ｙｅｓ）、マイクロコンピュータ１３０は、当該画像記録のコマンドがいずれから発せられたかに基づいて、処理１（ＳＡ１５）、処理２（ＳＡ１７）、処理３（ＳＡ１９）、または処理４（ＳＡ２１）のいずれかの処理を実行する。
【００８９】
つまり、当該画像記録のコマンドが、当該複合機１とＬＡＮなどを介して接続された当該複合機１以外の他の装置（外部情報機器）から発信されている場合（ＳＡ１４：Ｙｅｓ）、処理１（ＳＡ１５）において上述した報知（液晶表示部１１へのメッセージの表示）が実行される。また、当該画像記録のコマンドが、当該複合機１以外の他の装置から発信されたファクシミリによる画像データの受信である場合（ＳＡ１６：Ｙｅｓ）、処理２（ＳＡ１７）において後述する強制排出が実行される。また、当該画像記録のコマンドが、複合機１の操作パネル９の操作によって発せられた場合（ＳＡ１８：Ｙｅｓ）、処理３（ＳＡ１９）において上述した報知が実行される。また、当該画像記録のコマンドが手差しトレイ３１に載置された記録用紙１９に対する画像記録を指定するものである場合（ＳＡ２０：Ｙｅｓ）、処理４（ＳＡ２１）において上述した報知及び後述する強制排出が実行される。当該画像記録のコマンドが、ステップＳＡ１４、ＳＡ１６、ＳＡ１８、ＳＡ２０のいずれでもない場合、ステップＳＡ１３が再び実行される。
【００９０】
つまり、マイクロコンピュータ１３０は、排出ローラ対５５によって記録用紙１９が停止されているときに（ＳＡ８）、新たな記録用紙１９に対する画像記録を要するコマンドを受け取った（ＳＡ１３）ことを条件として、当該コマンドが操作パネル９または当該複合機１以外の装置のいずれから発せられたかに基づいて、液晶表示部１１へのメッセージの表示による報知、または、後述する強制排出を実行する（ＳＡ１４〜ＳＡ２１）。以上より、ステップＳＡ１３〜ＳＡ２１の処理は、本発明の第１制御部による処理に相当する。
【００９１】
なお、本実施形態においては、当該画像記録の指示がいずれから発信されたものであるかが、ステップＳＡ１４、ＳＡ１６、ＳＡ１８、ＳＡ２０において判断されているが、これらのステップは一例であり、これらのステップ以外のステップが設けられてもよい。例えば、当該画像記録の指示が他の装置から発信されているか否かの判断（ＳＡ１４）が、以下の２つの分けられてもよい。つまり、当該画像記録の指示が、複合機１と同室に設置されている他の装置から発信されているか否かの判断と、複合機１と別室に設置されている他の装置から発信されているか否かの判断とである。この場合、例えば、当該画像記録の指示が複合機１と同室に設置されている他の装置から発信されている場合に、後述する強制排出が実行され、当該画像記録の指示が複合機１と別室に設置されている他の装置から発信されているに、上述した報知が実行される。
【００９２】
以下、上述の処理１〜４が詳細に説明される。まず、図５のフローチャートに基づいて、処理１が説明される。マイクロコンピュータ１３０は、液晶表示部１１とステップＳＡ１３におけるコマンドの発信元の外部情報機器とに、記録用紙１９を取り除く旨のメッセージが表示されていない場合（ＳＢ１：Ｎｏ）、ステップＳＡ９と同様にして、液晶表示部１１に記録用紙１９を取り除く旨のメッセージを表示させ（ＳＢ２）、その後ステップＳＢ３の判断が行われる。つまり、ステップＳＢ２において、本発明の報知部による報知が実行される。
【００９３】
ここで、ステップＳＡ９においてメッセージが表示されるにもかかわらず、ステップＳＢ１においてメッセージが表示されていないことは、以下の例の場合に起こり得る。例えば、ステップＳＡ９から複合機１が何らの操作もされないまま、予め設定された時間が経過した場合、複合機１は省電力モードに突入する。これにより、液晶表示部１１の表示は消える。また、ステップＳＡ９の後に、複合機１の操作ボタン１０が押下されることによって、液晶表示部１１に当該押下に対応したメッセージやメニューなどが表示される。この場合、ステップＳＡ９において液晶表示部１１に表示されたメッセージは、新たに表示されたメッセージやメニューなどによって隠された状態となる。つまり、ステップＳＢ２においては、このような場合に、再度、液晶表示部１１に記録用紙１９を取り除く旨のメッセージを表示させるのである。
【００９４】
一方、ステップＳＡ９において表示されたメッセージが依然として表示されている場合（ＳＢ１：Ｙｅｓ）、ステップＳＢ２が実行されることなく、ステップＳＢ３の判断が行われる。この場合、ステップＳＢ２は実行されないが、ステップＳＢ１において、本発明の報知部による報知が継続されている。そして、当該報知の継続も、本発明の報知部による報知の実行に相当する。
【００９５】
その後、ステップＳＡ９またはステップＳＢ３において表示されたメッセージに従ったユーザによって、排出ローラ対５５に挟持された記録用紙１９が取り除かれると（ＳＢ３：Ｙｅｓ）、新たな記録用紙１９への画像の記録が実行される。つまり、ステップＳＡ１３において受け取ったコマンドに従って、ステップＳＡ１〜ＳＡ３と同様に給紙処理（ＳＢ４）、搬送処理（ＳＢ５）、及び画像記録（ＳＢ６）が実行される。その後、マイクロコンピュータ１３０は、当該記録用紙１９への画像記録が全て終了するまで（ＳＡ４）、記録用紙１９の所定の改行幅の搬送とインク滴の吐出とを交互に繰り返す（ＳＡ２、ＳＡ３）。ここで、ステップＳＢ３において、マイクロコンピュータ１３０は、排出検知部１２０の光学センサ１２１からの電気信号がＨＩＧＨレベル信号からＬＯＷレベル信号に変化したことを条件として、排出ローラ対５５に挟持された記録用紙１９が取り除かれたと判断する。
【００９６】
次に、図６のフローチャートに基づいて、処理２が説明される。マイクロコンピュータ１３０は、液晶表示部１１に記録用紙１９を取り除く旨のメッセージが表示されている場合（ＳＣ１：Ｙｅｓ）、当該メッセージを、液晶表示部１１の画面から消し（ＳＣ２）、その後ステップＳＣ３の処理が実行される。一方、液晶表示部１１に記録用紙１９を取り除く旨のメッセージが表示されていない場合（ＳＣ１：Ｎｏ）、ステップＳＣ２が実行されることなく、ステップＳＣ３の処理が実行される。この場合、他のメッセージやメニューなどによって、記録用紙１９を取り除く旨のメッセージが隠された状態となっている場合は、隠された状態のメッセージを消去している。
【００９７】
その後、マイクロコンピュータ１３０は、搬送モータ５９を制御して、ステップＳＡ８において停止されていた排紙ローラ４９を回転させる（ＳＣ３）。これにより、排出ローラ対５５に挟持された状態で停止されていた記録用紙１９は、搬送向き１５に搬送されて排紙トレイ２１に排出される（ＳＣ３）。以上説明されたステップＳＣ３の処理が強制排出である。なお、強制排出実行後に、液晶表示部１１に記録用紙１９を強制排出した旨のメッセージを表示させてもよい。
【００９８】
その後、ステップＳＡ１３において受け取ったコマンドに従って、ステップＳＡ１〜ＳＡ３と同様に給紙処理（ＳＣ４）、搬送処理（ＳＣ５）、及び画像記録（ＳＣ６）が実行される。その後、マイクロコンピュータ１３０は、当該記録用紙１９への画像記録が全て終了するまで（ＳＡ４）、記録用紙１９の所定の改行幅の搬送とインク滴の吐出とを交互に繰り返す（ＳＡ２、ＳＡ３）。
【００９９】
次に、図７のフローチャートに基づいて、処理３が説明される。操作パネル９に設けられた複数の操作ボタン１０のうち、画像記録を開始させるためのボタンがユーザによって押下されると（ＳＡ１８、ＳＤ１：Ｙｅｓ）、マイクロコンピュータ１３０は、排出検知部１２０の光学センサ１２１からの電気信号に基づいて、排出ローラ対５５に挟持された記録用紙１９が取り除かれているか否かを判断する（ＳＤ２）。上記ボタンが押下されない場合（ＳＤ１：Ｎｏ）、ステップＳＡ１３が実行される。なお、上記ボタンがユーザによって押下される場合としては、例えば、原稿台３５のプラテンガラスに載置された原稿のコピーが実行される場合、複合機１の前面に設けられたスロット部７に装填された小型メモリカードに記憶された画像データの記録が実行される場合などが挙げられる。
【０１００】
記録用紙１９が取り除かれていない場合（ＳＤ２：Ｎｏ）、マイクロコンピュータ１３０は、液晶表示部１１に記録用紙１９を取り除く旨のメッセージが表示されているか否かを判断する（ＳＤ３）。そして、メッセージが表示されていない場合（ＳＤ３：Ｎｏ）、ステップＳＡ９と同様にして、液晶表示部１１に記録用紙１９を取り除く旨のメッセージを表示させ（ＳＤ４）、その後再びステップＳＤ１の判断が行われる。一方、メッセージが表示されている場合（ＳＤ３：Ｙｅｓ）、ステップＳＤ４が実行されることなく、ステップＳＤ１の判断が行われる。
【０１０１】
ステップＳ２において記録用紙１９が取り除かれている場合（ＳＤ２：Ｙｅｓ）、ステップＳＡ１３において受け取ったコマンドに従って、ステップＳＡ１〜ＳＡ３と同様に給紙処理（ＳＤ５）、搬送処理（ＳＤ６）、及び画像記録（ＳＤ７）が実行される。その後、マイクロコンピュータ１３０は、当該記録用紙１９への画像記録が全て終了するまで（ＳＡ４）、記録用紙１９の所定の改行幅の搬送とインク滴の吐出とを交互に繰り返す（ＳＡ２、ＳＡ３）。
【０１０２】
次に、図８のフローチャートに基づいて、処理４が説明される。まず、マイクロコンピュータ１３０は、排出ローラ対５５に挟持された記録用紙１９が複合機１のユーザによって取り除かれた否かを判断する（ＳＥ１）。
【０１０３】
記録用紙１９が取り除かれた場合（ＳＥ１：Ｙｅｓ）、ステップＳＣ１、ＳＣ２と同様の処理が実行される（ＳＥ２、ＳＥ３）。その後、マイクロコンピュータ１３０は、手差しトレイ３１に記録用紙１９を載置する旨、及び操作パネル９に設けられた複数の操作ボタン１０のうちの画像記録を開始させるためのボタンを押下する旨のメッセージを、液晶表示部１１に表示させる（ＳＥ４）。
【０１０４】
そして、ユーザによって、手差しトレイ３１に記録用紙１９が載置され（ＳＥ５：Ｙｅｓ）、且つ画像記録を開始させるためのボタンが押下されると（ＳＥ６：Ｙｅｓ）、マイクロコンピュータ１３０は、搬送モータ５９を駆動して搬送ローラ４７を回転させる。これにより、手差しトレイ３１に載置された記録用紙１９は、搬送ローラ対５４によって、記録ヘッド６５の直下に向かって搬送される（ＳＥ７）。その後、当該記録用紙１９に対して、画像記録が実行される（ＳＥ８）。なお、複合機１が手差しトレイ３１に載置された記録用紙１９を給送するための機構を備えている場合、ステップＳＥ６とステップＳＥ７との間に、当該機構による給紙処理が実行される。
【０１０５】
その後、マイクロコンピュータ１３０は、当該記録用紙１９への画像記録が全て終了するまで（ＳＡ４）、記録用紙１９の所定の改行幅の搬送とインク滴の吐出とを交互に繰り返す（ＳＡ２、ＳＡ３）。なお、手差しトレイ３１に記録用紙１９が載置されたか否かの判断は、上述したように、シート検知部１１０の光学センサ１１１から入力された電気信号に基づいて行われる。
【０１０６】
一方、記録用紙１９が取り除かれない場合（ＳＥ１：Ｎｏ）、マイクロコンピュータ１３０は、手差しトレイ３１に記録用紙１９が載置されたか否かを判断する（ＳＥ９）。
【０１０７】
手差しトレイ３１に記録用紙１９が載置された場合（ＳＥ９：Ｙｅｓ）、ステップＳＣ１、ＳＣ２と同様の処理が実行される（ＳＥ１０、ＳＥ１１）。その後、マイクロコンピュータ１３０は、操作パネル９に設けられた複数の操作ボタン１０のうちの画像記録を開始させるためのボタンを押下する旨のメッセージを、液晶表示部１１に表示させる（ＳＥ１２）。そして、ユーザによって、画像記録を開始させるためのボタンが押下されると（ＳＥ１３：Ｙｅｓ）、マイクロコンピュータ１３０は、ステップＳＣ３と同様にして、排出ローラ対５５によって停止されている記録用紙１９を、排紙トレイ２１に強制的に排出する（ＳＥ１４）。次に、前述されたようにステップＳＥ７以降の処理が実行される。
【０１０８】
なお、以上の説明においては、記録用紙１９が取り除かれず（ＳＥ１：Ｎｏ）、手差しトレイ３１に記録用紙１９が載置された後に（ＳＥ９）、画像記録開始のための操作ボタン１０が押下されると（ＳＥ１３：Ｙｅｓ）、強制排出（ＳＥ１４）が実行された。しかし、画像記録開始のための操作ボタン１０の押下が、記録用紙１９の手差しトレイ３１への載置よりも前に実行された場合、以下の順序で処理が実行されてもよい。つまり、記録用紙１９の手差しトレイ３１への載置が行われたことを条件として、すぐに強制排出が実行されてもよい。
【０１０９】
以上より、マイクロコンピュータ１３０は、シート検知部１１０によって手差しトレイ３１に記録用紙１９が載置されていない状態から記録用紙１９が載置された状態が検知されたことを条件として（ＳＥ９：Ｙｅｓ）、強制排出を実行し（ＳＥ１４）、新たな記録用紙１９への画像の記録を実行する（ＳＥ７、ＳＥ８）。
【０１１０】
［実施形態の効果］
本実施形態によれば、記録用紙１９が排出ローラ対５５によって停止されている状態において、操作パネル９または当該複合機１以外の装置（外部情報機器）から記録用紙１９への画像記録を要するコマンドを受け取った場合（ＳＡ１３）、マイクロコンピュータ１３０は、当該コマンドの発信元に基づいて、液晶表示部１１へのメッセージ表示による報知（ＳＡ１５、ＳＡ１９、ＳＡ２１）、または記録用紙１９の強制排出（ＳＡ１７、ＳＡ２１）を実行する。液晶表示部１１へのメッセージ表示による報知が実行されることにより、ユーザに対して注意を喚起することができる。記録用紙１９が強制排出されることにより、受け取ったコマンドによる画像記録を迅速に開始することができる。以上より、複合機１の使い勝手を向上させることができる。
【０１１１】
また、本実施形態によれば、搬送路２３を搬送される記録用紙１９のサイズが排紙トレイ２１に載置可能なサイズよりも大きいサイズである場合（ＳＡ５：Ｙｅｓ）、当該記録用紙１９は排出ローラ対５５によって停止される（ＳＡ８）。これにより、記録用紙１９が排紙トレイ２１から落下することが防止可能である。また、搬送路２３を搬送される記録用紙１９のサイズが排紙トレイ２１に載置可能なサイズ以下である場合（ＳＡ５：Ｎｏ）、当該記録用紙１９は停止されることなく排紙トレイ２１に排出されるため（ＳＡ６）、次の記録用紙１９に対する画像記録が待機することなく実行可能である。
【０１１２】
また、本実施形態によれば、排紙ローラ４９を回転させることによって、記録用紙１９を拍車５０との間に挟持して搬送向き１５に搬送することができる。また、排紙ローラ４９の回転を止めることによって、記録用紙１９を拍車５０との間に挟持した状態で停止させることができる。
【０１１３】
ファクシミリによって受信された画像データは、ＲＡＭ１３３などの揮発性のメモリに記憶されることが多い。そして、当該メモリに記憶された画像データが記録用紙１９に記録される。ここで、揮発性のメモリに記憶された画像データが記録用紙１９に記録されていない状態で、複合機１の電源がオフにされたり、電源コードが抜かれたり、停電が発生したりした場合、メモリに記憶された画像データは消去されてしまう。そこで、本実施形態においては、画像データがファクシミリによって受信されたときに（ＳＡ１６：Ｙｅｓ）、強制排出が実行される（ＳＡ１７、ＳＣ３）。これにより、当該画像データの記録用紙１９への記録処理を早く開始することができる。その結果、電源オフなどによって画像データが消去されてしまう可能性を低くすることができる。
【０１１４】
コマンドが他装置（外部情報機器）から発せられたものである場合、当該コマンドを発する操作を行ったユーザは、画像記録が実行される複合機１とは離れた場所にいる可能性が高い。このような状況において、排出ローラ対５５によって停止された記録用紙１９が強制排出された場合、ユーザが記録用紙１９の排出に気がつく可能性は低い。その結果、当該記録用紙１９が複合機１から落下する可能性が高くなる。そこで、本実施形態においては、上述のような状況において、他装置に対する報知が実行される。これにより、記録用紙１９が強制排出によって複合機１から落下する可能性を低くすることができる。
【０１１５】
また、本実施形態によれば、コマンドが発せられた他装置に対して報知が実行された場合に、当該コマンドを発する操作を行ったユーザに対して注意を喚起することができる。
【０１１６】
コマンドが操作パネル９から発せられたものである場合、操作パネル９を操作したユーザは、画像記録が実行される複合機１の近くにいる可能性が高い。そこで、本実施形態においては、このような状況において、液晶表示部１１へのメッセージ表示による報知が実行される。これにより、ユーザは、当該報知に直ぐに気がつくことができる。そして、ユーザは、排出ローラ対５５によって停止された記録用紙１９を迅速に取り除くことができる。
【０１１７】
また、本実施形態によれば、ステップＳＥ９においてシート検知部１１０によって検知された記録用紙１９は、ユーザが手差しトレイ３１に載置した記録用紙１９である。よって、ユーザは、画像記録が実行される複合機１の近くにいる可能性が高い。その結果、本実施形態によれば、ユーザは、強制排出されている記録用紙１９が複合機１から落下する前に、当該記録用紙１９を手にすることができる。
【０１１８】
排出検知部１２０が記録用紙１９を検知した状態から検知しない状態に変化したことは、排出ローラ対５５によって停止されている記録用紙１９が取り除かれたことを意味する。記録用紙１９が取り除かれた場合、次に画像記録される記録用紙１９を待機させる必要がなくなる。以上より、本実施形態によれば、排出ローラ対５５によって停止されている記録用紙１９が取り除かれた場合に、次に画像記録される記録用紙１９への画像記録を迅速に実行することができる。
【０１１９】
［実施例の変形例１］
上述の実施形態のステップＳＡ１７（ステップＳＣ３）及びステップＳＡ２１（ステップＳＥ１４）で実行される強制排出において、マイクロコンピュータ１３０は、記録用紙１９を排出ローラ対５５によって停止させない場合における搬送速度よりも遅い搬送速度で記録用紙１９を搬送してもよい。
【０１２０】
ここで、記録用紙１９を排出ローラ対５５によって停止させない場合における搬送速度とは、記録部２４による画像記録を終えた後の記録用紙１９が搬送される速度であって、処理速度向上のためにできるだけ高速に設定されている。また、マイクロコンピュータ１３０は、ＡＳＩＣ１３５に組み込まれた駆動回路から搬送モータ５９へ出力する駆動電流を小さくすることによって、排紙ローラ４９の回転速度を遅くする。これにより、記録用紙１９の搬送速度が遅くなる。
【０１２１】
変形例１によれば、複合機１のユーザが、排紙トレイ２１に排出されようとしている記録用紙１９に気がつきやすい。これにより、記録用紙１９が複合機１から落下する可能性を低くすることができる。
【０１２２】
［実施例の変形例２］
上述の実施形態の処理２（ＳＡ１７）においては、次の記録用紙１９に対する画像記録のコマンドが当該複合機１以外の他の装置（外部情報機器）から発信されたファクシミリによる画像データの受信である場合に（ＳＡ１６：Ｙｅｓ）、液晶表示部１１に表示されたメッセージが直ぐに消され（ＳＣ２）、強制排出が実行された（ＳＣ３）。しかし、マイクロコンピュータ１３０は、ファクシミリによって画像データが受信されてから、一定時間経過前までは、記録用紙１９を取り除く旨のメッセージを液晶表示部１１に表示させてもよい。そして、マイクロコンピュータ１３０は、ファクシミリによって画像データが受信されてから、一定時間経過後に強制排出（ＳＣ３）を実行してもよい。ここで、一定時間は、複合機１からファクシミリによる受信が実行された旨の合図（例えばブザーの鳴動）が発せられてから、ユーザが複合機１の前に到達するまでに十分な時間が設定される。例えば、一定時間は１分程度に設定される
【０１２３】
変形例２によれば、ユーザが上記一定時間の間に画像データの受信に気がつく可能性が高くなる。これにより、記録用紙１９が強制排出によって複合機１から落下する可能性を低くすることができる。
【０１２４】
［実施例の変形例３］
上述の実施形態においては、ファクシミリによって受信された画像データが、記録用紙１９に記録された。しかし、ファクシミリによって受信された画像データが、記録用紙１９に記録される前に、または記録用紙１９に記録されることなく、複合機１に備えられたＥＥＰＲＯＭ１３４に記憶されてもよい。つまり、ＥＥＰＲＯＭ１３４は、本発明の第１記憶部の一例である。
【０１２５】
変形例３において、マイクロコンピュータ１３０は、次の記録用紙１９に対する画像記録のコマンドが当該複合機１以外の他の装置（外部情報機器）から発信されたファクシミリによる画像データの受信である場合に（ＳＡ１６：Ｙｅｓ）、当該画像データをＥＥＰＲＯＭ１３４に記憶する。また、マイクロコンピュータ１３０は、排出ローラ対５５に挟持された状態で搬送を停止されている記録用紙１９を取り除くよう促すメッセージを、液晶表示部１１に表示させる。つまり、上述の実施形態や変形例２と異なり、変形例３において、マイクロコンピュータ１３０は、強制排出（ＳＣ３）を実行しない。
【０１２６】
変形例３によれば、ファクシミリによって受信された画像データは、不揮発性のＥＥＰＲＯＭ１３４に記憶される。よって、当該画像データは、複合機１の電源がオフにされたり、停電が発生したりしても、ＥＥＰＲＯＭ１３４から消去されない。そこで、変形例３においては、画像データがファクシミリによって受信されたときに、強制排出が実行されずに、液晶表示部１１へのメッセージ表示による報知が実行される。これにより、記録用紙１９が強制排出によって複合機１から落下することを防止することができる。
【０１２７】
［実施例の変形例４］
上述の実施形態において、マイクロコンピュータ１３０は、次の記録用紙１９に対する画像記録のコマンドが複合機１の操作パネル９の操作によって発せられた場合に（ＳＡ１８：Ｙｅｓ）、液晶表示部１１へメッセージを表示させた（ＳＡ１９、ＳＤ４）。しかし、マイクロコンピュータ１３０は、このような場合に（ＳＡ１８：Ｙｅｓ）、液晶表示部１１へメッセージを表示させる代わりに、強制排出を実行してもよい。
【０１２８】
コマンドが操作パネル９から発せられたものである場合、操作パネル９を操作したユーザは、画像記録が実行される複合機１の近くにいる可能性が高い。そこで、変形例４においては、このような状況において、強制排出が実行される。これにより、ユーザは、当該強制排出に直ぐに気がつくことができる。そして、ユーザは、強制排出されている記録用紙１９が複合機１から落下する前に、当該記録用紙１９を手にすることができる。
【０１２９】
［実施例の変形例５］
ＲＡＭ１３３（本発明の第２記憶部の一例）には、記録用紙１９への画像記録が未完了の画像データが蓄積記憶されてもよい。例えば、一または複数の外部情報機器から複数の画像データが、記録用紙１９に画像記録すべきデータとして複合機１に連続して送られてきた場合、複合機１は、原則として時系列で先に送られてきた画像データから記録用紙１９に記録する。後に送られてきた画像データは、送られてきた順序でＲＡＭ１３３に蓄積されながら記憶される。そして、先に送られてきた画像データの記録用紙１９への記録が完了すると、次に送られてきた画像データが記録用紙１９に記録される。
【０１３０】
このような場合、マイクロコンピュータ１３０は、ＲＡＭ１３３に画像データが蓄積記憶されている状態において、画像記録する旨のコマンドを操作パネル９から受け取ったことを条件として（ＳＡ１８：Ｙｅｓ）、強制排出を実行し、強制排出後に記録部２４を制御して操作パネル９から受け取ったコマンドに基づいて記録用紙１９に画像を記録させ、その後、記録部２４を制御してＲＡＭ１３３に蓄積記憶されている画像データを記録用紙１９に記録させる。つまり、変形例５は、上述の実施形態における処理３の変形例である。以下、図９のフローチャートに基づいて、変形例５における記録制御の処理手順の一例が説明される。なお、図９のフローチャートでは、操作パネル９から受け取ったコマンドが原稿台３５のプラテンガラスに載置された１枚の原稿を１枚の記録用紙に画像記録する旨のコマンドであり、ＲＡＭ１３３に画像データが蓄積記憶されている場合、ＲＡＭ１３３には１枚の記録用紙に対応する画像データのみが蓄積記憶されている場合について、説明される。
【０１３１】
操作パネル９に設けられた複数の操作ボタン１０のうち、画像記録を開始させるためのボタンがユーザによって押下されると、原稿のコピーのコマンドがマイクロコンピュータ１３０に出力される。マイクロコンピュータ１３０は、当該コマンドを受け取ると（ＳＦ１：Ｙｅｓ）、画像データがＲＡＭ１３３に蓄積記憶されているか否かを判断する（ＳＦ２）。上記ボタンが押下されない場合（ＳＦ１：Ｎｏ）、ステップＳＡ１３が実行される。
【０１３２】
画像データがＲＡＭ１３３に蓄積記憶されていない場合（ＳＦ２：Ｎｏ）、上述したステップＳＤ２〜ＳＤ７と同様の処理が実行される（ＳＦ３〜ＳＦ８）。その後、マイクロコンピュータ１３０は、当該記録用紙１９への画像記録が全て終了するまで（ＳＡ４）、記録用紙１９の所定の改行幅の搬送とインク滴の吐出とを交互に繰り返す（ＳＡ２、ＳＡ３）。
【０１３３】
一方、画像データがＲＡＭ１３３に蓄積記憶されている場合（ＳＦ２：Ｙｅｓ）、マイクロコンピュータ１３０は、排出検知部１２０の光学センサ１２１からの電気信号に基づいて、排出ローラ対５５に挟持された記録用紙１９が取り除かれているか否かを判断する（ＳＦ９）。記録用紙１９が取り除かれていない場合（ＳＦ９：Ｎｏ）、再びステップＳＦ１が実行される。一方、記録用紙１９が取り除かれた場合（ＳＦ９：Ｙｅｓ）、ステップＳＦ１において受け取った原稿のコピーのコマンドに従って、上述したステップＳＡ１〜ＳＡ４と同様の処理が実行される（ＳＦ１０〜ＳＦ１３）。その後、画像記録（原稿のコピー）が終了した記録用紙１９は、排紙トレイ２１の上面へ排出される（ＳＦ１４）。
【０１３４】
次に、マイクロコンピュータ１３０は、ＲＡＭ１３３に蓄積記憶されている画像データを記録用紙１９に記録する。詳細には、マイクロコンピュータ１３０は、ステップＳＡ１〜ＳＡ３と同様に給紙処理（ＳＦ１５）、搬送処理（ＳＦ１６）、及び画像記録（ＳＦ１７）を実行する。その後、マイクロコンピュータ１３０は、当該記録用紙１９への画像記録が全て終了するまで（ＳＡ４）、記録用紙１９の所定の改行幅の搬送とインク滴の吐出とを交互に繰り返す（ＳＡ２、ＳＡ３）。
【０１３５】
ＲＡＭ１３３に画像データが蓄積記憶されている状態において、ＲＡＭ１３３に蓄積記憶されている画像データの画像記録を指示したユーザは、画像記録された記録用紙１９を直ぐに必要でない可能性が高い。これに対して、操作パネル９を操作することによって記録用紙１９の画像記録を指示したユーザは、画像記録された記録用紙１９を直ぐに必要であることが多い。そこで、変形例５においては、後者の画像記録が、前者の画像記録よりも優先して実行される。これにより、画像記録された記録用紙１９を直ぐに必要であるユーザが、画像記録された記録用紙１９を迅速に手に入れることができる。
【０１３６】
［実施例の変形例６］
変形例５において、マイクロコンピュータ１３０は、ステップＳＦ１５の実行前に、ＲＡＭ１３３に蓄積記憶されている画像データがファクシミリによって受信された画像データであるか否かを判断してもよい。当該判断は、例えば、受信された画像データのヘッダにファクシミリによる受信であることを示すフラグを立てることによって行われる。つまり、マイクロコンピュータ１３０は、ステップＳＦ１５の実行前にＲＡＭ１３３に蓄積記憶されている画像データのヘッダを参照する。そして、マイクロコンピュータ１３０は、当該画像データのヘッダに上記のフラグが立てられているか否かによって、当該画像データがファクシミリによって受信されたデータであるか否かを判断する。
【０１３７】
そして、変形例６において、マイクロコンピュータ１３０は、ＲＡＭ１３３に蓄積記憶されている画像データがファクシミリによって受信された画像データである場合、当該画像データを記録用紙１９に記録させない。
【０１３８】
ファクシミリによって受信された画像データの内容が複合機１に設けられた液晶表示部１１に表示可能である場合、当該液晶表示部１１を介して当該画像データの内容を見たユーザは、当該画像データを記録用紙１９に記録することを希望しない場合がある。変形例６によれば、マイクロコンピュータ１３０は、ファクシミリによって受信された画像データを記録用紙１９に記録させない。つまり、変形例６によれば、上述のような場合におけるユーザの希望に従った処理を実行することができる。
【０１３９】
［実施例の変形例７］
複合機１は、排出ローラ対５５によって停止されている記録用紙１９を排紙トレイ２１に排出させる排出ボタン（本発明の排出ボタンに相当）を更に備えていてもよい。排出ボタンは、例えば、複数の操作ボタン１０のうちの１つである。
【０１４０】
変形例７において、マイクロコンピュータ１３０は、排出ローラ対５５によって停止されている記録用紙１９を取り除く旨のメッセージを液晶表示部１１に表示させる代わりに、排出ボタンを押してくださいとのメッセージを液晶表示部１１に表示させる。当該表示を見たユーザによって排出ボタンが押下されると、マイクロコンピュータ１３０は、ステップＳＣ３と同様の処理、つまり記録用紙１９の強制排出を実行する。その後、マイクロコンピュータ１３０は、画像記録する旨のコマンドを受け取ったことを条件として、新たな記録用紙１９への画像の記録を実行する。
【０１４１】
変形例７によれば、排出ボタンの押下によって、排出ローラ対５５によって停止されている記録用紙１９が強制排出される。よって、ユーザは、排出ローラ対５５によって停止されている記録用紙１９を把持することなく、当該記録用紙１９を搬送路２３より取り除くことができる。
【０１４２】
［実施例の変形例８］
上述の実施形態においては、排出ローラ対５５が本発明の停止部であり、画像記録が完了した記録用紙１９は排出ローラ対５５に挟持されることによって停止された。しかし、本発明の停止部は、排出ローラ対５５に限らない。
【０１４３】
例えば、本発明の停止部は、画像記録が完了した記録用紙１９の左右両端を、内側ガイド部材２８との間に挟持することによって、記録用紙１９を停止させる挟持部材（不図示）であってもよい。挟持部材の前後方向１２の位置は、搬送路２３における記録部２４及び排紙トレイ２１の間である。挟持部材の左右方向１３の位置は、搬送路２３を搬送される記録用紙１９の左右両端部に対応する位置である。挟持部材の上下方向１４の位置は、搬送路２３の下側を区画する内側ガイド部材２８の上側である。挟持部材は、当該内側ガイド部材２８から上側に離間して当該内側ガイド部材２８との間に空間を形成する第１位置、及び当該内側ガイド部材２８と当接する第２位置に移動可能である。挟持部材は、マイクロコンピュータ１３０に制御されることによって、移動する。
【０１４４】
マイクロコンピュータ１３０は、記録部２４による画像記録が完了した記録用紙１９が挟持部材の真下を搬送されている状態において、挟持部材を第１位置から第２位置に移動させる。これにより、当該記録用紙１９は、挟持部材及び内側ガイド部材２８に挟持された状態となり、停止される。その結果、当該記録用紙は、挟持部材がマイクロコンピュータ１３０によって第２位置から第１位置に移動されるまで、排紙トレイ２１へ排出されない。
【符号の説明】
【０１４５】
１・・・複合機
９・・・操作パネル
１１・・・液晶表示部
１５・・・搬送向き
１９・・・記録用紙
２０・・・給紙トレイ
２１・・・排紙トレイ
２３・・・搬送路
２４・・・記録部
３１・・・手差しトレイ
５５・・・排出ローラ対
１１０・・・シート検知部
１２０・・・排出検知部
１３０・・・マイクロコンピュータ
【図１】
0005423721.tif 000002
【図２】
0005423721.tif 000003
【図３】
0005423721.tif 000004
【図４】
0005423721.tif 000005
【図５】
0005423721.tif 000006
【図６】
0005423721.tif 000007
【図７】
0005423721.tif 000008
【図８】
0005423721.tif 000009
【図９】
0005423721.tif 000010